Podtech/llm-jp-corpus-v4-ja_patent huggingface dataset:
(57)【要約】      （修正有）【課題】長時間見ても、視力や体に悪影響が少ない上に、節電で電気が長もちのスマートフォンを提供する。【解決手段】スマートフォンの画面３の光源を全面からとするのをやめて、１ｃｍ２四方の縮小１とすることによって、発するライトや電磁波量を削減する。検索時や電話をかける時以外は画面を縮小する。【選択図】図１
2019169114.tif 000002
【特許請求の範囲】
【請求項１】
画面使用時拡大、未使用時縮小、待機時も縮小（１ｃｍ２程度の光源）できる、画面の大きさを拡大縮小できるスマートフォン。節電タイプ。
【発明の詳細な説明】
【技術分野】
【０００１】本発明は、電磁波の威力の軽減をはかったスマートフォンに関する。
【背景技術】
【０００２】従来のスマートフォンは、画面の表面からでるブルーライトにより、毎日使用を多くし、使いつづけると２０年程度で目が悪くなるとされている。
眼科的手術によって視力を保つことは可能であるが、視力が悪くなるといっているレベルは、人間でいう８０代レベルである。４０代半ばで８０代の眼科手術をうけなければ、視力を保てないというのは問題である。
スマートフォンのみならず、タブレット、パソコンなども、同様の効果があり、視力を阻害する面が仕事や検索のじゃまになってしまう。
【発明の概要】
【発明が解決しようとする課題】
【０００３】以上述べた様に、スマートフォンに於いてパソコン、タブレットと同様、見つづけると、視力をおとすという事態がおこる。視力の低下は、４０代で８０代レベルまで落ち、仕事に支障をおこす。若年でも例外ではなく、視力形成に於いて重大な支障をきたす。長時間見ても、視力や体に悪影響が少ない上に、節電で電気が長もちのスマートフォンを提供する。
【課題を解決するための手段】
【０００４】スマートフォンなどは画面いっぱいに光線が広がっている。これを、画面の一部（たて１ｃｍ×よこ１ｃｍくらい）だけしか本当はついていない、縮小された画面で実行し、使用する時だけ、拡大で広がる。使用しないときは、縮小まで光源がもどる。拡大された画面のところで電話番号をタッチし、通話中も電源をおとすために画面は小さくなる。電話を切るときは、指で画面をタップする。受話器をおろすマークだけが大きくなっていれば切れるからである。画面の光源をなるべく小さく保つことにより、節電し、スマートフォンの使用電気量をへらすことにする。又、このように光源を小さくすれば、通話中耳に電磁波をつよく浴びないことになるので聴力を阻害することにも貢献できる。視力についても、必要以上の明るさを使わなければ、視力の低下にも貢献できる。
【発明の効果】
【０００５】画面の光源を１ｃｍ２程度まで縮小してあるので、日頃から使用時の浴びる電磁波の量が少なくできる。通話中も、スマートフォンを耳のちかくにもっていっても電磁波量が少なくなっているので耳を痛めつけない。
検索にしても１ｃｍ２程度の光源を拡大してみているだけなので、ブルーライトを浴びたといっても、従来品よりもライトの量は少ないといえる。
又、節電なので、長時間使っても、すぐに電気がなくならない。
とくにスマートフォンは、充電のわりに使用電気の消耗がはげしいので、貢献できると思われる。
【図面の簡単な説明】
【０００６】
【図１】スマートフォン画面縮小時
【図２】スマートフォン画面拡大時
【発明を実施するための形態】
【０００７】以下、発明の実施形態を図１、図２にもとづき説明する。
【０００８】図１で、スマートフォンの縮小画面は右下１ｃｍ２程度におさえてある。
それ以外の画面は、まっくらで光が抑えてある。
図２は、縮小画面を使用する時に拡大する。画面をタップすると拡大し、従来品と同様の中身が楽しめる。だが未使用だと、自動的に縮小し、ブルーライトの量を制限する。通話中も縮小になっており、画面は、ブルーライトの光や電磁波が少なくなっている。
【図１】
2019169114.tif 000003
【図２】
2019169114.tif 000004
(57)【要約】      （修正有）【課題】除草の為の鋸鎌や平鎌などでは、刃が一枚であったために、刃で地面を引っ掻いても目こぼしが多く除草効率が低かったので、目こぼしを少なくする除草具を提供する。【解決手段】前刃２と後刃３を連結軸５で繋いで並列刃除草具本体１を構成し、柄７の柄付け金具６に取付ける。さらに、繋ぎ刃４を前刃２と後刃３との柄７に近い側の一端に設けて、前刃２と後刃３の隙間を繋いで並列刃除草具本体１を頑丈にして縦横方向での除草を目こぼし少なく引っ掻けるようにしている。【選択図】図１
2019037219.tif 000002
【特許請求の範囲】
【請求項１】
並列刃除草具本体（１）で、前刃（２）と並列する後刃（３）を連結軸（５）で繋いだことを特徴とする並列刃除草具。
【請求項２】
並列刃除草具本体（１）で、前刃（２）と並列する後刃（３）を、繋ぎ刃（４）で繋いだことを特徴とする並列刃除草具。
【発明の詳細な説明】
【発明の詳細な説明】
【技術の分野】
【０００１】  本発明は、並列刃除草具に関する。
【背影の技術】
【０００２】  従来の除草具は、鋸鎌や除草平鎌など多くは一枚刃であった。
【０００３】〔先行技術文献１〕特開２０１６−０４２８６３
【発明の概要】
【発明が解決しようとする課題】
【０００４】  従来技術の問題点は、除草の刃が一枚であった為に地面を刃で引っ掻いても目こぼしが多く除草効率が低かった。それで並列複数刃とする事で改善しようとするものである。
【課題を解決する為の手段】
【０００５】  図面にもとづいて説明します。図１は本発明の、並列刃除草具の斜視図で、（１）は、並列刃除草具本体。（２）は、並列刃除草具本体（１）の前刃。（３）は、並列刃除草具本体（１）の後刃である。（５）は連結軸で、前刃（２）と並列して設けた後刃（３）を繋いだ。（６）は、柄付け金具で連結軸（５）に設けた。（７）は柄で、柄付け金具（６）に挿した。（４）は繋ぎ刃で、前刃（２）と後刃（３）との柄に近いがわの１端へ、繋ぎ刃（４）を設けて、前刃（２）と後刃2019037219.tif 000003
少なく引っ掻ける様にした。  前刃（２）と並列する後刃（３）は、柄（７）の向きとは「へ」の字様にして、直角向きよりも引っ掻く時の滑り角度を付けて使える様にした。並列する前刃（２）と後刃（３）は、少し先すぼみ状として刃の角度が違っていることで引っ掻き効率が良く、かつ作物の間等にさし入れ易い。
【発明の効果】
【０００６】  本発明は並列刃だから、前刃（２）で引っ掻きこぼした雑草も後刃（３）や繋ぎ刃（４）があるから効率よく目こぼし少なく除草できる。更に前刃（２）と後刃（３）と繋ぎ刃（４）の刃の向きや角度もそれぞれ違えてあるのでより効果的に雑草が引っ掛かり除草できる。
【実施例】
【０００７】  図２は実施例で並列刃を、追加刃（８）を加えて、３枚並列にした。  図３は実施例で、更に並列刃を、追加刃Ａ（９）と、追加刃Ｂ（１０）を増設して、柄（７ａ）を長くして鍬状とした。必然、柄付け金具（６ａ）と、連結軸（５ａ）も鍬状に対応した図の如く形状とした。
【図面の簡単な説明】
【０００８】
【図１】は、本発明の斜視図である。
【図２】は、本発明の実施例の斜視図である。
【図３】は、本発明の実施例の斜視図で、鍬状とした斜視図である。
【産業上の利用の可能性】
【０００９】
【符号の説明】
【００１０】（１），（１ａ）は、並列刃除草具本体。（２），（２ａ）は、前刃。（３），（３ａ）は、後刃。（４），（４ａ）は、繋ぎ刃。（５），（５ａ）は、連結軸。（６），（６ａ）は、柄付け金具。（７），（７ａ）は、柄。（８），（８ａ）は、追加刃。（９）は、追加刃Ａ。（１０）は、追加刃Ｂ
【図１】
2019037219.tif 000004
【図２】
2019037219.tif 000005
【図３】
2019037219.tif 000006
【手続補正書】
【提出日】平成30年9月27日(2018.9.27)
【手続補正１】
【補正対象書類名】明細書
【補正対象項目名】０００５
【補正方法】変更
【補正の内容】
【０００５】  図面にもとづいて説明します。図１は本発明の、並列刃除草具の斜視図で、（１）は、並列刃除草具本体。（２）は、並列刃除草具本体（１）の前刃。（３）は、並列刃除草具本体（１）の後刃である。（５）は連結軸で、前刃（２）と並列して設けた後刃（３）を繋いだ。（６）は、柄付け金具で連結軸（５）に設けた。（７）は柄で、柄付け金具（６）に挿した。（４）は繋ぎ刃で、前刃（２）と後刃（３）との柄に近いがわの１端へ。繋ぎ刃（４）を設けて、前刃（２）と後刃（３）のすき間を繋いで並列刃除草具本体（１）を頑丈にし、かつ縦横無尽に雑草を目こぼし少なく引っ掻ける様にした。前刃（２），後刃（３），繋ぎ刃（４）はギザギザの鋸刃状である。
前刃（２）と並列する後刃（３）は、柄（７）の向きとは「へ」の字様にして、直角向きよりも引っ掻く時の滑り角度を付けて使える様にした。並列する前刃（２）と後刃（３）は、少し先すぼみ状として刃の角度が違っていることで引っ掻き効率が良く、かつ作物の間等にさし入れ易い。
【手続補正２】
【補正対象書類名】特許請求の範囲
【補正対象項目名】全文
【補正方法】変更
【補正の内容】
【特許請求の範囲】
【請求項１】
並列刃除草具本体（１）で、ギザギザ鋸刃状の前刃（２）とは、先すぼみ状に開き、かつ、並列する、ギザギザ鋸刃状の後刃（３）とを、連結軸（５）で繋ぎ、前刃（２）及び後刃（３）とは柄（７）が、「へ」の字様に、柄付け金具（６）を連結軸（５）に設けたことを特徴とする並列刃除草具。
【請求項２】
並列刃除草具本体（１）で、柄（７）とは「へ」の字様に設けたギザギザ鋸刃状の前刃（２）と、先すぼみ状に開き、かつ、並列する、ギザギザ鋸刃状の後刃（３）とを、ギザギザ鋸刃状の繋ぎ刃（４）で１方を繋いだことを特徴とする並列刃除草具。